(57)【要約】【課題】つり合いおもりの補強作業を効率よく行うことができる脱落防止用おもり片、つり合いおもり及びつり合いおもりの補強方法を提供する。【解決手段】水平断面がコ字状に形成された左右一対の縦枠と、左右の縦枠間に掛け渡される横枠と、縦枠と横枠とから形成されるおもり枠内に積層される積層おもり片とを備え、エレベータの乗りかごにロープを介して接続されるつり合いおもりにおける積層おもり片と積層される脱落防止用おもり片であって、おもり片と、おもり片を正面側及び裏面側から挟み込んで支持すると共に、積層おもり片の上に積層後に、両端部において縦枠に固定される枠補強部材と、おもり片と枠補強部材とを締結する締結部材と、を備える。【選択図】  図１
2020109038.tif 000002
【特許請求の範囲】
【請求項１】
水平断面がコ字状に形成された左右一対の縦枠と、左右の縦枠間に掛け渡される横枠と、前記縦枠と前記横枠とから形成されるおもり枠内に積層される積層おもり片とを備え、エレベータの乗りかごにロープを介して接続されるつり合いおもりにおける前記積層おもり片と積層される脱落防止用おもり片であって、
おもり片と、
前記おもり片を正面側及び裏面側から挟み込んで支持すると共に、前記積層おもり片の上に積層後に、両端部において前記縦枠に固定される枠補強部材と、
前記おもり片と前記枠補強部材とを締結する締結部材と、
を備えることを特徴とする脱落防止用おもり片。
【請求項２】
前記枠補強部材は、左右一対の分割枠補強部材で構成され、
各分割枠補強部材は、前記おもり片を正面側及び裏面側からそれぞれ挟み込んで支持すると共に、前記積層おもり片の上に積層後に、各分割枠補強部材の端部において前記縦枠に固定される、
ことを特徴とする請求項１に記載の脱落防止用おもり片。
【請求項３】
前記おもり片には、正面から裏面に貫通する貫通孔が形成され、且つ、前記枠補強部材には、取付孔が形成されており、
前記締結部材は、両端部にねじ切りがされると共に前記取付孔及び前記貫通孔に挿入される締結軸と、挿入された締結軸を前記枠補強部材の正面側及び裏面側の外面から締結するナットと、
を備えることを特徴とする請求項１又は２に記載の脱落防止用おもり片。
【請求項４】
前記おもり片には、正面から裏面に貫通する貫通孔が形成され、且つ、前記正面側の枠補強部材には、取付孔が形成されており、
前記締結部材の一端は前記裏面側の枠補強部材の内面に固定され、他端はねじ切りがされて前記貫通孔及び前記取付孔に挿入される締結軸と、挿入された締結軸を前記正面側の枠補強部材の外面から締結するナットと、
を備えることを特徴とする請求項１又は２に記載の脱落防止用おもり片。
【請求項５】
前記脱落防止用おもり片を構成するおもり片の底面には、正面から裏面方向に切欠き溝が形成されており、
前記枠補強部材には、取付孔が形成されており、
前記締結部材は、両端部にねじ切りがされ、前記枠補強部材の前記取付孔に挿入されると共に前記切欠き溝を介して前記おもり片が載置される締結軸と、当該締結軸を前記枠補強部材の外面から締結するナットと、
を備えることを特徴とする請求項１又は２に記載の脱落防止用おもり片。
【請求項６】
前記枠補強部材における前記縦枠の側面に延在する箇所に、昇降路に設置されたガイドレールと習動可能に係合する立上がり部を有することを特徴とする請求項１から５の何れか１項に記載の脱落防止用おもり片。
【請求項７】
請求項１から６の何れか１項に記載の脱落防止用おもり片を備えることを特徴とするつり合いおもり。
【請求項８】
請求項１に記載の脱落防止用おもり片をつり合いおもりに据え付けて補強するつり合いおもりの補強方法であって、
裏面側の前記枠補強部材を前記締結部材を介して前記おもり片に取り付けた状態で、前記おもり枠内に入れ込んで、前記積層おもり片の上に載置し、
前記おもり枠の正面側から、正面側の前記枠補強部材を締結部材を介して、前記積層おもり片の上に載置された前記おもり片に取り付けた後、
前記枠補強部材の両端部を前記縦枠に固定する、
ことを特徴とするつり合いおもりの補強方法。
【請求項９】
請求項２に記載の脱落防止用おもり片をつり合いおもりに据え付けて補強するつり合いおもりの補強方法であって、
左右一対の裏面側の前記分割枠補強部材をそれぞれ前記締結部材を介して前記おもり片に取り付けた状態で、前記おもり枠内に入れ込んで、前記積層おもり片の上に載置し、
前記おもり枠の正面側から、左右一対の正面側の前記分割枠補強部材をそれぞれ前記締結部材を介して、前記積層おもり片の上に載置された前記おもり片に取り付けた後、
前記分割枠補強部材の各端部を前記縦枠に固定する、
ことを特徴とするつり合いおもりの補強方法。
【発明の詳細な説明】
【技術分野】
【０００１】
本発明は、脱落防止用おもり片、つり合いおもり及びつり合いおもりの補強方法に関する。
【背景技術】
【０００２】
エレベータでは、乗りかごの重量とのバランスを取るために、乗りかごにロープを介して接続されるつり合いおもりが設けられている。つり合いおもりは、おもり枠内に複数個の積層おもり片を積み重ねて所定の重量となるよう構成されている。ところが、地震等が発生すると、建物の揺れに連動してつり合いおもりが揺れ、積層おもり片がおもり枠内から外へ飛び出して落下するおそれがある。
【０００３】
そこで、例えば、つり合いおもりの揺れに伴っておもり枠が変形するのを防止するために固定部材を設けた例が知られている。この従来例では、固定部材によりおもり枠の変形を阻止して、地震等に起因する横揺れによっておもり枠が開いて積層おもり片が落下するのを防止している。
【先行技術文献】
【特許文献】
【０００４】
【特許文献１】特開２０１５−５１８６６号公報
【発明の概要】
【発明が解決しようとする課題】
【０００５】
しかしながら、つり合いおもりに前述した固定部材のような補強構造を施工する作業は、作業者がおもり枠の前面（正面）側及び背面（裏面）側で行う必要がある。特に、おもり枠と昇降路の壁面との距離が狭い場合には、つり合いおもりの背面側での作業が困難となり、取り付け作業を効率よく行うことができないという不具合があった。
【０００６】
本発明の実施形態は、つり合いおもりの補強作業を効率よく行うことができる脱落防止用おもり片、つり合いおもり及びつり合いおもりの補強方法を提供することを目的とする。
【課題を解決するための手段】
【０００７】
本発明の態様は、水平断面がコ字状に形成された左右一対の縦枠と、左右の縦枠間に掛け渡される横枠と、縦枠と横枠とから形成されるおもり枠内に積層される積層おもり片とを備え、エレベータの乗りかごにロープを介して接続されるつり合いおもりにおける積層おもり片と積層される脱落防止用おもり片であって、おもり片と、おもり片を正面側及び裏面側から挟み込んで支持すると共に、積層おもり片の上に積層後に、両端部において縦枠に固定される枠補強部材と、おもり片と枠補強部材とを締結する締結部材と、を備える脱落防止用おもり片である。
【０００８】
本発明の他の態様は、脱落防止用おもり片をつり合いおもりに据え付けて補強するつり合いおもりの補強方法であって、裏面側の枠補強部材を締結部材を介しておもり片に取り付けた状態で、おもり枠内に入れ込んで積層おもり片の上に載置し、おもり枠の正面側から、正面側の枠補強部材を締結部材を介して、積層おもり片の上に載置されたおもり片に取り付けた後、枠補強部材の両端部を縦枠に固定するつり合いおもりの補強方法である。
【図面の簡単な説明】
【０００９】
【図１】第１実施形態の脱落防止用おもり片の構成図。
【図２】第１実施形態の脱落防止用おもり片をおもり枠へ挿入する際の位置関係を示す説明図。
【図３】第１実施形態の脱落防止用おもり片をおもり枠内へ設置した状態を示す説明図。
【図４】脱落防止用おもり片への裏面側枠補強部材を取り付けた状態を示す説明図。
【図５】正面側枠補強部材を取り付け状態のつり合いおもりを示す説明図。
【図６】第２実施形態の脱落防止用おもり片を示す構成図。
【図７】第３実施形態の脱落防止用おもり片を示す構成図。
【図８】第３実施形態の脱落防止用おもり片をおもり枠へ挿入する際の位置関係を示す説明図。
【図９】第４実施形態の脱落防止用おもり片を示す構成図。
【図１０】第５実施形態の脱落防止用おもり片を示す構成図。
【発明を実施するための形態】
【００１０】
＜第１実施形態＞
図１は第１実施形態の脱落防止用おもり片を示す説明図であり、（Ａ）は平面図、（Ｂ）は正面図である。
【００１１】
図１に示すように、脱落防止用おもり片１は、おもり片２と、おもり片２の裏面側に取り付けられる裏面側枠補強部材３と、おもり片２の正面側に取り付けられ、裏面側枠補強部材３と共におもり片２を挟み込んで支持する正面側枠補強部材４とを備える。また、おもり片２には、正面から裏面に貫通する一対の貫通孔５が形成されている。裏面側枠補強部材３と正面側枠補強部材４には、貫通孔５に対応する位置にそれぞれ取付孔３ａ，４ａが穿設されている。裏面側枠補強部材３と正面側枠補強部材４の各取付孔３ａ，４ａ及び貫通孔５には、両端部にねじ切りがされた締結軸６が挿入され、挿入された締結軸６が正面側枠補強部材及び裏面側枠補強部材の外面からナット７によって締結されるように構成されている。
【００１２】
裏面側枠補強部材３及び正面側枠補強部材４は、厚さ数ミリ（５〜８mm）程度の鋼板で構成され、各両端部には、それぞれ内面側に折り曲げられた折返し部８，９が形成されており、この折返し部８，９は、つり合いおもりの縦枠に固定される。
【００１３】
次に、第１実施形態の脱落防止用おもり片１をつり合いおもりに取り付ける方法について説明する。
【００１４】
先ず、締結軸６の一端側で締結軸６とナット７を螺合した後、図２（Ａ）に示すように、裏面側枠補強部材３とおもり片２とを位置合わせして締結軸６の他端側を取付孔３ａと貫通孔５に挿入する。この状態で、図２（Ｂ）に示すように、つり合いおもり１０を構成する水平断面がコ字状に形成され左右一対の縦枠１１と、上下一対の横枠１２とで囲まれたおもり枠内に裏面側枠補強部材３とおもり片２とを差し入れる。そして、積層おもり片１３上に積層すると共に、つり合いおもり１０の背面側において、左右の折返し部８を左右の縦枠１１に入れ込む。
【００１５】
積層おもり片１３の上に裏面側枠補強部材３とおもり片２とを積層した状態を図３に示す。この状態においては、図４に示すように、正面側枠補強部材４は取り付けられていない。
【００１６】
そして、正面側枠補強部材４をおもり片２及び縦枠１１に当接させ、取付孔４ａに締結軸６の他端を入れ込んでナット７で螺合する。このようにしてつり合いおもり１０への脱落防止用おもり片１の取り付けが完了する。図５に正面側枠補強部材４を取り付けた状態のつり合いおもり１０を示す。
【００１７】
このように第１実施形態によれば、縦枠１１に脱落防止用おもり片１を取り付ける場合に、作業者がつり合いおもり１０の背面側に回り込んで作業することなく、前面側からの作業のみで縦枠１１に脱落防止用おもり片１を取り付けることが可能となる。
【００１８】
＜第２実施形態＞
図６は第２実施形態の脱落防止用おもり片２１を示している。第２実施形態では、裏面側枠補強部材３に取付孔３ａは設けられておらず、締結軸２２の一端側は裏面側枠補強部材３の内面側で溶接部２３で溶接されている。締結軸２２の他端側はねじ切りがされており、つり合いおもり１０への取り付けの際には、締結軸２２とナット７により正面側枠補強部材４が取り付けられることは、第１実施形態と同様である。
【００１９】
第２実施形態では、裏面側枠補強部材３の溶接部２３に固定された締結軸２２をおもり片２の貫通孔５に挿入した状態でおもり枠内に裏面側枠補強部材３とおもり片２とを差し入れる。そして、積層おもり片１３上に積層すると共に、つり合いおもり１０の背面側において、左右の折返し部８を左右の縦枠１１に入れ込めばよい。
【００２０】
このように、第２実施形態によれば、第１実施形態と同様の効果を奏する。また、第１実施形態に比べ、つり合いおもり１０と昇降路の壁面との距離が狭い場合でも脱落防止用おもり片２１の取り付けが可能となり、取り付け作業が簡単化される。
【００２１】
＜第３実施形態＞
図７は第３実施形態の脱落防止用おもり片３１を示している。第３実施形態の枠補強部材は分割されており、個別に回転させることができるように構成されている。
【００２２】
具体的には、脱落防止用おもり片３１は、左裏面側枠補強部材３２と、右裏面側枠補強部材３３と、左正面側枠補強部材３４と、右正面側枠補強部材３５とを備えている。
【００２３】
つり合いおもり１０への脱落防止用おもり片３１を取り付ける際には、左裏面側枠補強部材３２及び右裏面側枠補強部材３３の各取付孔３ａと貫通孔５とを位置合わせして締結軸６を挿入する。この状態では、左裏面側枠補強部材３２と右裏面側枠補強部材３３は、締結軸６を中心に回転可能となっている。そして、第１実施形態と同様、脱落防止用おもり片３１を積層おもり片１３上に積層すると共に、つり合いおもり１０の背面側において、左右の折返し部８を左右の縦枠１１に入れ込めばよい。
【００２４】
このように、第３実施形態によれば、第１実施形態と同様の効果を奏する。また、図８に示すように、左裏面側枠補強部材３２と右裏面側枠補強部材３３とを回転させることができるので、脱落防止用おもり片３１をつり合いおもり１０のおもり枠内に挿入する際に必要な高さを低くすることができる。また、左裏面側枠補強部材３２と右裏面側枠補強部材３３とを片側ずつおもり片２及び縦枠１１に取り付けることができるので、取り回しが容易となり、作業効率が向上する。
【００２５】
＜第４実施形態＞
図９は第４実施形態の脱落防止用おもり片４１を示している。
【００２６】
第４実施形態では、第１実施形態における貫通孔５に代えて、おもり片４２の底面に正面から裏面方向へ締結軸６と係合する切欠き溝４３が形成されていることを特徴とする。
【００２７】
第４実施形態の脱落防止用おもり片４１をつり合いおもり１０へ取り付けるには、締結軸６の一端側で締結軸６とナット７を螺合した後、締結軸６の他端側を裏面側枠補強部材３の取付孔３ａに挿入する。この状態で、つり合いおもり１０を構成する縦枠１１と横枠１２とで囲まれたおもり枠内に裏面側枠補強部材３を差し入れる。次いで、正面側枠補強部材４の取付孔４ａに締結軸６の他端側を挿入し、遊びを有した状態でナット７で仮止めして積層おもり片１３の上に積層する。その状態では、左右の折返し部８が左右の縦枠１１に入れ込まれた状態となる。そして、左右の締結軸６上におもり片４２の切欠き溝を載せ置き、ナット７で締め上げる。これにより、裏面側枠補強部材３と正面側枠補強部材４とでおもり片４２を挟み込むことができる。
【００２８】
このように、第４実施形態によれば、第１実施形態と同様の効果を奏する。また、締結軸６とナット７による裏面側枠補強部材３及び正面側枠補強部材４の設置作業とおもり片４２の設置作業を個別に行うことが可能となり、取り回しが容易となる。
【００２９】
＜第５実施形態＞
図１０は第５実施形態の脱落防止用おもり片５１を示している。第５実施形態の脱落防止用おもり片５１では、裏面側枠補強部材３及び正面側枠補強部材４における縦枠１１の側面に延在する箇所に立上がり部５７，５８が形成されていることを特徴とする。
【００３０】
各立上がり部５７，５８は折返し部８，９からガイドレール側に略９０度、屈曲させて形成されている。これにより、つり合いおもり１０に脱落防止用おもり片５１を組み込んだ際、立上がり部５７と立上がり部５８とで形成される間隙部５９でガイドレールを習動可能に挟み込む。このため、つり合いおもり１０がガイドレールから外れるのを防止するストッパー機能を持たせることが可能になる。
【００３１】
このように、第５実施形態によれば、第１実施形態と同様の効果を奏する。また、脱落防止用おもり片５１にストッパー機能を持たせることができるので、つり合いおもり１０が外れて積層おもり片１３が脱落するのを、より一層、効果的に防止することが可能になる。
【００３２】
なお、前記各実施形態においては、脱落防止用おもり片１，２１，３１，４１，５１は１個取り付ける例を示した。これに限定されず、複数の積層おもり片１３を積んだ上に脱落防止用おもり片１，２１，３１，４１，５１を取り付けることを繰り返すことで、複数の脱落防止用おもり片１，２１，３１，４１，５１を取り付けるようにしてもよい。
【００３３】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
１，２１，３１，４１，５１…脱落防止用おもり片、２，４２…おもり片、３，５５…裏面側枠補強部材、４，５６…正面側枠補強部材、３ａ，４ａ…取付孔、５…貫通孔、６，２２…締結軸（締結部材）、７…ナット（締結部材）、８，９…折返し部、１０…つり合いおもり、１１…縦枠、１２…横枠、１３…積層おもり片、２３…溶接部、３２…左裏面側枠補強部材、３３…右裏面側枠補強部材、３４…左正面側枠補強部材、３５…右正面側枠補強部材、４３…切欠き溝、５７，５８…立上がり部、５９…間隙部。
【図１】
2020109038.tif 000003
【図２】
2020109038.tif 000004
【図３】
2020109038.tif 000005
【図４】
2020109038.tif 000006
【図５】
2020109038.tif 000007
【図６】
2020109038.tif 000008
【図７】
2020109038.tif 000009
【図８】
2020109038.tif 000010
【図９】
2020109038.tif 000011
【図１０】
2020109038.tif 000012
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
水平断面がコ字状に形成された左右一対の縦枠と、左右の縦枠間に掛け渡される横枠と、前記縦枠と前記横枠とから形成されるおもり枠内に積層される積層おもり片とを備え、エレベータの乗りかごにロープを介して接続されるつり合いおもりにおける前記積層おもり片と積層される脱落防止用おもり片であって、
おもり片と、
前記おもり片を正面側及び裏面側から挟み込んで支持すると共に、前記積層おもり片の上に積層後に、両端部において前記縦枠に固定される枠補強部材と、
前記おもり片と前記枠補強部材とを締結する締結部材と、
を備え、
前記脱落防止用おもり片を構成する前記おもり片の底面には、正面から裏面方向に切欠き溝が形成されており、
前記枠補強部材には、取付孔が形成されており、
前記締結部材は、両端部にねじ切りがされ、前記枠補強部材の前記取付孔に挿入されると共に前記切欠き溝を介して前記おもり片が載置される締結軸と、当該締結軸を前記枠補強部材の外面から締結するナットと、
を備えることを特徴とする脱落防止用おもり片。
【請求項２】
水平断面がコ字状に形成された左右一対の縦枠と、左右の縦枠間に掛け渡される横枠と、前記縦枠と前記横枠とから形成されるおもり枠内に積層される積層おもり片とを備え、エレベータの乗りかごにロープを介して接続されるつり合いおもりにおける前記積層おもり片と積層される脱落防止用おもり片であって、
おもり片と、
前記おもり片を正面側及び裏面側から挟み込んで支持すると共に、前記積層おもり片の上に積層後に、両端部において前記縦枠に固定される枠補強部材と、
前記おもり片と前記枠補強部材とを締結する締結部材と、
を備え、
前記枠補強部材は、分割形成された左右一対の分割枠補強部材で構成され、
各分割枠補強部材は、前記おもり片を正面側及び裏面側からそれぞれ挟み込んで支持すると共に、前記積層おもり片の上に積層後に、各分割枠補強部材の端部において前記縦枠に固定される、
ことを特徴とする脱落防止用おもり片。
【請求項３】
前記おもり片には、正面から裏面に貫通する貫通孔が形成され、且つ、前記枠補強部材には、取付孔が形成されており、
前記締結部材は、両端部にねじ切りがされると共に前記取付孔及び前記貫通孔に挿入される締結軸と、挿入された締結軸を前記枠補強部材の正面側及び裏面側の外面から締結するナットと、
を備えることを特徴とする請求項２に記載の脱落防止用おもり片。
【請求項４】
前記おもり片には、正面から裏面に貫通する貫通孔が形成され、且つ、前記正面側の枠補強部材には、取付孔が形成されており、
前記締結部材の一端は前記裏面側の枠補強部材の内面に固定され、他端はねじ切りがされて前記貫通孔及び前記取付孔に挿入される締結軸と、挿入された締結軸を前記正面側の枠補強部材の外面から締結するナットと、
を備えることを特徴とする請求項２に記載の脱落防止用おもり片。
【請求項５】
前記枠補強部材における前記縦枠の側面に延在する箇所に、昇降路に設置されたガイドレールと習動可能に係合する立上がり部を有することを特徴とする請求項１から４の何れか１項に記載の脱落防止用おもり片。
【請求項６】
請求項１から５の何れか１項に記載の脱落防止用おもり片を備えることを特徴とするつり合いおもり。
【請求項７】
請求項１に記載の脱落防止用おもり片をつり合いおもりに据え付けて補強するつり合いおもりの補強方法であって、
裏面側の前記枠補強部材の取付孔に前記締結軸の一端側を挿入して前記ナットにより螺合した後、当該裏面側の枠補強部材を前記おもり枠の裏面側から差し入れて前記積層おもり片上に載置し、
表面側の前記枠補強部材の取付孔に前記締結軸の他端側を挿入して前記ナットにより螺合した後、前記おもり片の底面に形成された前記切欠き溝を前記締結軸上に載置し、
前記裏面側の枠補強部材と前記表面側の枠補強部材とを前記ナットで締め上げて前記おもり片を挟み込み、
前記枠補強部材の各端部を前記縦枠に固定する、
ことを特徴とするつり合いおもりの補強方法。
【請求項８】
請求項２に記載の脱落防止用おもり片をつり合いおもりに据え付けて補強するつり合いおもりの補強方法であって、
左右一対の裏面側の前記分割枠補強部材をそれぞれ前記締結部材を介して前記おもり片に取り付けた状態で、前記おもり枠内に入れ込んで、前記積層おもり片の上に載置し、
前記おもり枠の正面側から、左右一対の正面側の前記分割枠補強部材をそれぞれ前記締結部材を介して、前記積層おもり片の上に載置された前記おもり片に取り付けた後、
前記分割枠補強部材の各端部を前記縦枠に固定する、
ことを特徴とするつり合いおもりの補強方法。